(57)【要約】【課題】本発明の課題は、グレンタンクの外側部に、可成の収納容積をもつ収容ホッパ−を設置することにあり、その収容ホッパ−は、前後の側壁及び外側壁がその上面に設ける開閉自在な点検蓋よりも上方に高く構成することにより、点検蓋を開けたときの穀粒飛散を防止することにある。【解決手段】本発明は、底部に搬出コンベアを内装軸架してあるコンバインに搭載のグレンタンクにおいて、このグレンタンク内下方には、前記搬出コンベアの上方近くに位置して外端側が下方に低くなるよう傾斜する仕切流下板を着脱自在に設け、前記グレンタンクの外側部には前記仕切流下板の下端上方部を開口して設けた開口部に連通させて穀粒収容ホッパ−を取付可能に設け、この穀粒収容ホッパ−の上面には点検蓋を開閉自在に設けると共に、前記ホッパ−の側壁は上面の点検蓋に対し上方に高く構成してあることを特徴とする。【選択図】図２
2006094779.tif 000002
【特許請求の範囲】
【請求項１】
底部に搬出コンベアを内装軸架してあるコンバインに搭載のグレンタンクにおいて、このグレンタンク内下方には、前記搬出コンベアの上方近くに位置して外端側が下方に低くなるよう傾斜する仕切流下板を着脱自在に設け、前記グレンタンクの外側部には前記仕切流下板の下端上方部を開口して設けた開口部に連通させて穀粒豆収容ホッパ−を取付可能に設け、この穀粒収容ホッパ−の上面には点検蓋を開閉自在に設けると共に、前記ホッパ−の側壁は上面の点検蓋に対し上方に高く構成してあることを特徴とするコンバイン。
【請求項２】
底部に搬出コンベアを内装軸架してあるコンバインに搭載のグレンタンクにおいて、このグレンタンク内下方には、前記搬出コンベアの上方近くに位置して外端側が下方に低くなるよう傾斜する仕切流下板を着脱自在に設け、前記グレンタンクの外側部には仕切流下板の下端上方部を開口して設けた開口部に連通させて穀粒収容ホッパ−を取付可能に設け、前記グレンタンクの外側板は、少なくとも前記穀粒収容ホッパ−を設置する下方部分が一端側を支点として揺動開閉する構成としてあることを特徴とするコンバイン。
【請求項３】
底部に搬出コンベアを内装軸架してあるコンバインに搭載のグレンタンクにおいて、このグレンタンク内下方には、前記搬出コンベアの上方近くに位置して外端側が下方に低くなるよう傾斜する仕切流下板を着脱自在に設け、前記グレンタンクの外側部には前記仕切流下板の下端上方部を開口して設けた開口部に連通させて穀粒収容ホッパ−を取付可能に設け、該穀粒収容ホッパ−の下方には数枚の穀粒袋を挿通支持する袋ホルダ−を装着支持させて設けると共に、袋ホルダ−の基部側に固着され、収納時の袋の上面を規制案内する規制案内部が連続する袋の上面に対し手前側より奥側ほど狭くなるように形成された支えフレ−ムを収容ホッパ−の手前側から支持するように連結構成してあることを特徴とするコンバイン。
【発明の詳細な説明】
【技術分野】
【０００１】
本発明は、稲麦や大豆等の穀稈を刈り取って脱穀するコンバインに関し、農業機械の技術分野に属する。
【背景技術】
【０００２】
従来、底部に搬出コンベアを軸装して排出オ−ガにより穀粒を排出するグレンタンクを機体の一側部に搭載して構成するコンバインにおいて、籾や麦など通常の穀粒を取り出すときには搬出コンベア、排出オ−ガを通じてタンク外に取り出すが、種子や大豆などの穀粒を取り出す際には、前記搬出コンベアや排出オ−ガを経由すると穀粒に傷がついて品質低下を招くため、別の経路を経て取り出すように、タンク内の下部で搬出コンベアの上方近くに仕切流下板を取り付けて貯溜するようにし、そして、その穀粒を取り出すときには仕切流下板の下端上方を開口した開口部のシャッタ−を開き、その開口部に連通した排出樋を通じて取り出し、袋内に取り入れるように構成したものが知られている（例えば、特許文献１参照。）。
【特許文献１】特開平８−３１１７７２３号公報
【発明の開示】
【発明が解決しようとする課題】
【０００３】
本発明の課題とするところは、上記形態のグレンタンク外側部に、従来のような単なる排出樋を連設するものとは異なり、可成の収納容積をもつ収容ホッパ−を設置することにあり、そして、その収容ホッパ−は、前後の側壁及び外側壁がその上面に設ける開閉自在な点検蓋よりも上方に高く構成することにより、点検蓋を開けたときの穀粒飛散を防止することにあり、加えて、グレンタンクの外側板を揺動開閉自在に構成することによって仕切流下板の着脱容易化を図ることにある。
【課題を解決するための手段】
【０００４】
本発明は、かかる課題を解決するために、次の如き技術的手段を講じた。すなわち、請求項１記載の本発明は、底部に搬出コンベアを内装軸架してあるコンバインに搭載のグレンタンクにおいて、このグレンタンク内下方には、前記搬出コンベアの上方近くに位置して外端側が下方に低くなるよう傾斜する仕切流下板を着脱自在に設け、前記グレンタンクの外側部には前記仕切流下板の下端上方部を開口して設けた開口部に連通させて穀粒収容ホッパ−を取付可能に設け、この穀粒収容ホッパ−の上面には点検蓋を開閉自在に設けると共に、前記ホッパ−の側壁は上面の点検蓋に対し上方に高く構成してあることを特徴とする。
【０００５】
通常の収穫作業では、穀粒収容ホッパ−及び仕切流下板を取り外し、開口部を閉じておくと、グレンタンク内に穀粒を貯溜して搬出コンベア及び排出オ−ガを介して排出できるものであり、大豆を収穫する場合には、仕切流下板を取り付けると共に、開口部に連通するように穀粒収容ホッパ−を設置すると、グレンタンク内と収容ホッパ−内に大豆を貯溜しホッパ−下端のシャッタ−を開けて袋に取り出すことができる。
【０００６】
そして、このホッパ−内貯溜時には、ホッパ−上面の点検蓋を開けて大豆粒の貯溜状態を点検する。この時、大豆粒の貯溜状態が満杯になっていても、ホッパ−の側壁が点検蓋よりも上方に高く構成されているため、大豆粒が側壁上面を越して溢れ落ちることがなくなる。従って、大豆などの穀粒貯溜状態の点検が作業途中いつでも行うことができる。
【０００７】
請求項２記載の本発明は、底部に搬出コンベアを内装軸架してあるコンバインに搭載のグレンタンクにおいて、このグレンタンク内下方には、前記搬出コンベアの上方近くに位置して外端側が下方に低くなるよう傾斜する仕切流下板を着脱自在に設け、前記グレンタンクの外側部には仕切流下板の下端上方部を開口して設けた開口部に連通させて穀粒収容ホッパ−を取付可能に設け、前記グレンタンクの外側板は、少なくとも前記穀粒収容ホッパ−を設置する下方部分が一端側を支点として揺動開閉する構成としてあることを特徴とする。
【０００８】
穀粒収容ホッパ−を取り付けできるグレンタンクの外側板が一端側を支点として揺動開閉するので、大豆収穫の場合には、外側板を開放して仕切流下板を簡単に取り付けることができる。また、通常の収穫作業の場合には、その外側板を開放することによってタンク底部の掃除や搬出コンベアのメンテが容易にできる。
【０００９】
請求項３記載の本発明は、底部に搬出コンベアを内装軸架してあるコンバインに搭載のグレンタンクにおいて、このグレンタンク内下方には、前記搬出コンベアの上方近くに位置して外端側が下方に低くなるよう傾斜する仕切流下板を着脱自在に設け、前記グレンタンクの外側部には前記仕切流下板の下端上方部を開口して設けた開口部に連通させて穀粒収容ホッパ−を取付可能に設け、該穀粒収容ホッパ−の下方には数枚の穀粒袋を挿通支持する袋ホルダ−を装着支持させて設けると共に、袋ホルダ−の基部側に固着され、収納時の袋の上面を規制案内する規制案内部が連続する袋の上面に対し手前側より奥側ほど狭くなるように形成された支えフレ−ムを収容ホッパ−の手前側から支持するように連結構成してあることを特徴とする。
【００１０】
袋ホルダ−がホッパ−の手前より延出する支えフレ−ムによって支持されるので、ホルダ自体の強度アップが可能となる。支えフレ−ムの袋規制案内部が袋の上面に対し手前側より奥側ほど狭くなっているので、袋上面の規制案内によって袋のふらつきをなくし安定よく規制保持し、出し入れも抵抗なく軽くスム−スに行い得る。また、支えフレ−ムを手で持ちながらシャッタ−操作を行うこともできて疲労感がなくなる。
【発明の効果】
【００１１】
以上要するに、請求項１の発明によれば、グレンタンに加えて大容量のホッパ−によって大豆粒を貯溜でき袋詰めすることができ、大豆の収穫作業を能率的に行い得る。しかも、ホッパ−内で大豆粒の貯溜状態が満杯になっていても、ホッパ−の側壁が点検蓋よりも上方に高くなっているので、大豆粒が溢れ出て落下することがなく、大豆粒のロスを未然に防止することができる。
【００１２】
請求項２の発明によれば、グレンタンクの外側板をオ−プンすると、必要に応じて仕切流下板を簡単、容易に着脱することができ、グレンタンクの底部の掃除や搬出コンベアのメンテも容易に行うことができる。
【００１３】
請求項３の発明によれば、袋ホルダ−がホッパ−の手前より延出する支えフレ−ムによって支持されるので、ホルダ自体の強度アップが可能となり、支えフレ−ムの袋規制案内部によって袋のふらつきを規制保持することができ、袋の出し入れも抵抗なくスム−スに行い得る。
【発明を実施するための最良の形態】
【００１４】
以下、本発明の実施例を図面に基づいて具体的に説明する。
まず、全稈投入型の汎用コンバインの構成について述べる。
走行クロ−ラ１を具備する車体２上には、前部に昇降可能な刈取部３を、後部に全稈投入型の脱穀部４を搭載している。刈取部３のフイ−ダハウスの横側部には運転席や操作部などからなる乗用運転部を包囲するキャビン５が設置され、その後方にはグレンタンク６が装備されている。前記キャビン５とグレンタンク６との間で車体２上にはコンバイン各部に動力伝達するエンジンＥが搭載されている。
【００１５】
グレンタンク６は、底部に搬出コンベア７を内装軸架し、タンク内に貯溜された穀粒を一側に搬出し揚穀オ−ガ８、排出オ−ガ９を介して排出する形態のもので、稲麦などの通常の収穫作業によって貯溜する従来型同様の構成としている。  グレンタン６の横外側方側でその下半部置となる外側板１０には、後記する仕切流下板１１の傾斜下端側上方位置に開口部１２を開口して設け、後記する大豆等の穀粒収容ホッパ−１３を連設するように構成している。
【００１６】
前記外側板１０は、タンクの後部側に設けた上下方向の縦支軸Ｐ周りにワンタッチで揺動開閉できるように枢着して設け、閉じたときにはロック機構１６を介してロックする構成としている。
【００１７】
仕切流下板１１は、特に、大豆の収穫作業に際し、グレンタンク内下方で、搬出コンベア７の上方近くに外端側が下方に低くなるよう傾斜させて取り付けるもので、稲麦などの通常の収穫作業に際しては、これを取り外して使用できるように着脱自在に構成している。
【００１８】
穀粒収容ホッパ−１３は、前記開口部１２に連通させた状態とし、外側板１０に対し係脱ロック具１７ａ及び締付固定具１７ｂを介して着脱自在に連結している。そして、ホッパ−１３の下部には図５に示すような排出筒１８又は図２及び図３に示すような排出樋１８ａが連設され、前記排出筒１８の途中部にはシャッタ−１９が開閉自在に設けられている。また、このホッパ−１３の上面開放部１４には、支点軸芯Ｑ回りに揺動開閉する点検蓋１５が設けられ、ホッパ−１３の前後側壁１３ａ，１３ｂ及び外側壁１３ｃが閉鎖時の点検蓋１５に対して適宜の高さＨ寸法だけ上方に高くして、開放時における穀粒の飛散を防ぐように構成している。
【００１９】
なお、前記排出樋１８ａの先端には、シュ−タ１８ｂを連設し、支点Ｏ回りに上下動自在に枢着している。これによれば、フレコンＦに穀粒が満杯になってシュ−タに当たっても、シュ−タはそれに順応して上動することになり、シュ−タの変形や穀粒の流れの停滞をなくすことができる。また、排出樋１８ａの底面傾斜部に目抜穴２２を設けておくと、泥土や塵埃を抜き取ることができ、フレコン内への侵入をなくし、汚粒を防止することができる。
【００２０】
図５に示すように、ホッパ−１３の下方には、排出筒１８を挾んで左右一対の袋ホルダ−２０が設けられ、該ホルダ−２０の基部側２０ａは上方に折り曲げて前記ホッパ−１３の連結側下部に装着支持されている。また、この袋ホルダ−は、数枚の穀粒袋を挿通支持するものであるが、一端側を袋ホルダ−の基部２０ａ側に固着し、他端側をホッパ−１３の手前側下部に連結した支えフレ−ム２１によって強固に保持する構成としている。そして、この支えフレ−ム２１には、収納時における袋の上面を規制案内する規制案内部２１ａを備え、この規制案内部２１ａが連続する袋の上面（袋ホルダ−の長手方向面）に対し手前側より奥側ほど狭くなるようにテ−パ部αを設けた構成としている。
【００２１】
図７及び図８に示す実施例は、グレンタンク６を車体に対して高位置に上昇させることができるよう昇降シリンダ３０を介して昇降可能に設け、グレンタンク内には穀粒量を検知する数個の穀粒検知センサ３１，３１…を設け、グレンタンク内の穀粒排出時において、タンク内の最も低いレベルにある穀粒検知センサ３１のみがＯＮ状態になると、グレンタンク又は機体全体が穀粒の排出側（排出口３２側）へ傾斜するように構成している。排出側へ傾斜することで、流れが良好となり、残粒がなくなる。しかも、タンク内の穀粒が少なくなってから傾斜するので、機体の傾きによる危険度が少なくなる。
【００２２】
なお、機体全体の傾斜手段としてはロ−リング機構を用いるとよい。また、グレンタンクの下降操作をすると、排出時の傾斜状態が元の垂直状姿勢位置に戻ってから下降動作に移行するよう構成しておくことが安全上望ましい。
【００２３】
また、グレンタン６の上面にはタンク内の塵埃を吸塵処理する吸塵フアン３３を設け、グレンタンク内の穀粒排出時に、タンク内の最も低いレベルにある穀粒検知センサ３１のみがＯＮ状態になると、吸塵フアン３３が逆回転するように連動構成し、風をタンク内下方に向けて吹き付けることにより、穀粒の排出側への流れが促進され、タンク内の残粒を少なくすることができる。
【００２４】
図１において、コンデンサを具備するコンバインにおいては、従来のように、コンデンサ及びコンデンサフアンを脱穀部本体の側方や、特に、エンジンの上方に設けたものでは熱気により効率が低下していた。本例では、コンデンサ３５及びコンデンサフアン３６を脱穀部４本体より後方でカッタ−やチョッパ−等の作業機３７の上方に設置する構成とした。これによれば、排風が機体側方へ抜け易く、前面がカバ−で被覆されているため、作業機からのホコリが侵入しない。エンジンから遠く上面が開放されているため、熱が抜け易く、ホコリが入らない構成であり、効率がアップする。
【００２５】
図９に示すコンバインにおいて、運転席４０と、前側のフロント操作ボックス４１と、左側のサイド操作ボックス４２等を一体的に枠組み化して運転部ユニット４３を構成し、そして、この運転部ユニット４３は、運転席４０の右側後方に立設した上下方向の縦支軸４４を支点として横外側後方へ旋回移動させることができるように構成している。これによって、運転席下方のエンジンＥの上方及びその周辺が大きく開放されることになり、メンテナンス性が向上する。また、刈取部も一部が開放されることになってメンテナンスが容易となる。
【００２６】
図１０、図１１は、ラジエ−タフアンの構成例を示すもので、図１０は従来例であり、図１１は本例を示す。上下方向に長いラジエ−タ４５を機体上に搭載する。通常のラジエ−タフアン４６Ａ（図１０従来例）を本例のようなラジエ−タフアン４６ａに小型化する。そして、本例では、エンジンＥのクランク軸４７を中心として回転する小型のフアン４８を設ける。この構成によれば、縦横比の大きいラジエ−タにおいて、効率よく冷却することができる。また、それぞれのフアン径が小さくなるので、フアンのブレが小さくなる。
【００２７】
図１２、図１３、図１４に示す実施例は、グレンタンク内の穀粒排出時に搬出コンベア７への駆動を入りとし、非排出時にはその駆動を切りとするクラッチ装置を電動モ−タによって入切作動させるコンバインにおいて、電装障害等により前記電動モ−タが作動不良になると、緊急手段として、手動でクラッチの入切操作ができるように構成したものである。すなわち、タンク底部の搬出コンベア７への入力プ−リ５２とエンジンから駆動される駆動プ−リ５１との間に伝動ベルト５３を券回し、この伝動ベルト５３を緊張・弛緩するテンションクラッチ５４を前記電動モ−タ５０によって往復ロッド５５等を介して入切操作できるように構成している。そして、モ−タ５０を支持するモ−タベ−ス５６は、支持部材５７に対して軸５８を支点として回動可能で、かつ、通常は固定ボルト５９により一体的に固定された構成になっている。また、このモ−タベ−ス５６には緊急時に手動操作が可能な操作レバ−が突設されている。従って、前記電動モ−タが作動しない時には、固定ボルト５９を外し、操作レバ−６０の操作にてモ−タベ−ス５６を軸５８回りに回動させ、テンションクラッチ５４を入切操作する。これによって、電動モ−タに障害があっても手動でクラッチの入切操作ができ、作業を中断することなく、連続作業が可能となる。
【００２８】
なお、前記クラッチ装置は、開閉可能なリヤカバ−６１とサイドカバ−６２とによって被覆され、緊急クラッチ操作時はカバ−を開放することによって容易に操作することができる。
【図面の簡単な説明】
【００２９】
【図１】コンバインの側面図
【図２】グレンタンクの背面図
【図３】グレンタンクの側面図
【図４】穀粒収容ホッパ−の要部の斜視図
【図５】グレンタンクの背面図
【図６】同上要部の平面図
【図７】コンバインの背面図
【図８】同上側面図
【図９】コンバインの平面図
【図１０】ラジエ−タフアン（従来例）の正面図
【図１１】ラジエ−タフアン（本例）の正面図
【図１２】グレンタンクのクラッチ操作伝動系を示す背面図
【図１３】同上要部の背面図
【図１４】コンバイン要部の側面図
【符号の説明】
【００３０】
６    グレンタンク                ７    搬出コンベア
８    揚穀オ−ガ                  ９    排出オ−ガ
１０    外側板                    １１    仕切流下板
１２    開口部                    １３    穀粒収容ホッパ−
１４    開放部                    １５    点検蓋
２０    袋ホルダ−                ２１    支えフレ−ム
２１ａ  袋規制案内部
【図１】
2006094779.tif 000003
【図２】
2006094779.tif 000004
【図３】
2006094779.tif 000005
【図４】
2006094779.tif 000006
【図５】
2006094779.tif 000007
【図６】
2006094779.tif 000008
【図７】
2006094779.tif 000009
【図８】
2006094779.tif 000010
【図９】
2006094779.tif 000011
【図１０】
2006094779.tif 000012
【図１１】
2006094779.tif 000013
【図１２】
2006094779.tif 000014
【図１３】
2006094779.tif 000015
【図１４】
2006094779.tif 000016